(57)【特許請求の範囲】
【請求項１】
ニット生地を用いたマスクであって、
鼻部、口部、及び下顎部を覆うマスク本体部と、
前記マスク本体部の左右両側に配置され、各々の耳部に掛けられる耳掛け部と、を備え、
前記耳掛け部は、伸縮性のある糸を用いて編まれており、
前記マスク本体部は、前記耳掛け部に用いた糸よりも伸縮性の小さい糸を用いて編まれており、
前記マスク本体部の前記鼻部側において左右方向に伸びる第１端部、及び前記マスク本体部の前記下顎部側において左右方向に伸びる第２端部の各々は、前記第１端部および前記第２端部の各々においてコース数が減らされている部分とコース数が減らされていない部分とが互いに隣接するように編まれている、
マスク。
【請求項２】
前記第１端部および前記第２端部においてコース数を減らしている部分が３０％以上７０％以下である、請求項１に記載のマスク。
【請求項３】
前記第１端部および前記第２端部においてコース数を減らしている部分が４５％以上５５％以下である、請求項１に記載のマスク。
【請求項４】
前記マスク本体部は、外側に位置する第１のニット生地と内側に位置する第２のニット生地とを備える２層構造を有し、
前記第２のニット生地の孔部の密度が前記第１のニット生地の孔部の密度よりも高い、
請求項１〜３のいずれか一項に記載のマスク。
【請求項５】
前記マスク本体部を平面視した際、前記第１のニット生地の孔部の位置と前記第２のニット生地の孔部の位置とが互いにずれるように配置されている、請求項４に記載のマスク。
【請求項６】
前記マスク本体部は、ナイロンおよびポリエステルの少なくとも一方を含む糸を用いて編まれており、
前記耳掛け部は、伸縮性のあるポリウレタン芯に、ナイロンおよびポリエステルの少なくとも一方を含む糸を被覆したＦＴＹ（Filament Twisted Yarn）を用いて編まれている、
請求項１〜５のいずれか一項に記載のマスク。
【発明の詳細な説明】
【技術分野】
【０００１】
本発明は、ニット生地を用いたマスクに関する。
【背景技術】
【０００２】
近年、ウイルス感染を予防するために衛生マスクが広く使用されている。特許文献１には、複数の不織布を積層して形成された使い捨てマスクに関する技術が開示されている。
【先行技術文献】
【特許文献】
【０００３】
【特許文献１】特開２０１９−１８３３４５号公報
【発明の概要】
【発明が解決しようとする課題】
【０００４】
特許文献１に開示されているような複数の不織布を積層して形成されたマスクは、ウイルスを通しにくいため、ウイルス感染を予防する点で優れている。しかしながら、不織布を用いて形成されたマスクは通気性が悪いため、例えば運動をする際に着用すると呼吸が苦しくなるという問題がある。
【０００５】
本願発明者らは、このような問題を解決するために、ニット生地を用いてマスクを作製した。この際、マスク全体を伸縮性のある糸（ＦＴＹ（Filament Twisted Yarn））を用いて作製した。しかしながら、伸縮性のある糸を用いた場合は、伸縮性のある糸が縮んだ際にマスクに形成した孔部が部分的に塞がれてしまい、十分な通気性を得ることができず、着用時にマスクが口に吸いついて苦しくなるという新たな問題が発生した。
【０００６】
このため本願発明者らは、鼻部、口部、及び下顎部を覆うマスク本体部を伸縮性の小さい糸（伸縮性のない糸でもよい）を用いて形成し、耳掛け部を伸縮性のある糸を用いて形成した。マスク本体部に伸縮性の小さい糸を用いた場合は、マスクに形成した孔部が塞がれてしまうことを抑制できるので通気性を向上させることができ、着用時にマスクが口に吸いついて苦しくなることを抑制できる。しかしながら、マスク本体部に伸縮性の小さい糸を用いた場合は、マスク本体部の上下部分（鼻部および下顎部）においてマスク本体部が顔にフィットしにくいという問題がある。
【０００７】
上記課題に鑑み本発明の目的は、通気性とフィット感が良好なニット生地のマスクを提供することである。
【課題を解決するための手段】
【０００８】
本発明の一態様にかかるマスクは、ニット生地を用いたマスクであって、鼻部、口部、及び下顎部を覆うマスク本体部と、前記マスク本体部の左右両側に配置され、各々の耳部に掛けられる耳掛け部と、を備え、前記耳掛け部は、伸縮性のある糸を用いて編まれており、前記マスク本体部は、前記耳掛け部に用いた糸よりも伸縮性の小さい糸を用いて編まれており、前記マスク本体部の前記鼻部に対応する位置の第１縁部、及び前記マスク本体部の前記下顎部に対応する位置の第２縁部の各々は、前記第１縁部および前記第２縁部におけるコース数を部分的に減らして編まれている。
【０００９】
上述のマスクにおいて、前記第１縁部および前記第２縁部においてコース数を減らしている部分が３０％以上７０％以下であってもよい。
【００１０】
上述のマスクにおいて、前記第１縁部および前記第２縁部においてコース数を減らしている部分が４５％以上５５％以下であってもよい。
【００１１】
上述のマスクにおいて、前記マスク本体部は、外側に位置する第１のニット生地と内側に位置する第２のニット生地とを備える２層構造を有していてもよく、前記第２のニット生地の孔部の密度が前記第１のニット生地の孔部の密度よりも高くてもよい。
【００１２】
上述のマスクにおいて、前記マスク本体部を平面視した際、前記第１のニット生地の孔部の位置と前記第２のニット生地の孔部の位置とが互いにずれるように配置されていてもよい。
【００１３】
上述のマスクにおいて、前記マスク本体部は、ナイロンおよびポリエステルの少なくとも一方を含む糸を用いて編まれていてもよく、前記耳掛け部は、伸縮性のあるポリウレタン芯に、ナイロンおよびポリエステルの少なくとも一方を含む糸を被覆したＦＴＹ（Filament Twisted Yarn）を用いて編まれていてもよい。
【発明の効果】
【００１４】
本発明により、通気性とフィット感が良好なニット生地のマスクを提供することができる。
【図面の簡単な説明】
【００１５】
【図１】実施の形態にかかるマスクを説明するための斜視図である。
【図２】実施の形態にかかるマスクを説明するための側面図である。
【図３】実施の形態にかかるマスクを説明するための正面図である。
【図４】マスク本体部を構成するニット生地（内側）の一例を示す平面図である。
【図５】マスク本体部を構成するニット生地（外側）の一例を示す平面図である。
【図６】マスク本体部の製造方法を説明するための模式図である。
【図７】ニット生地を説明するための図である。
【発明を実施するための形態】
【００１６】
以下、図面を参照して本発明の実施の形態について説明する。
図１〜図３はそれぞれ、実施の形態にかかるマスクを説明するための斜視図、側面図、及び正面図である。
【００１７】
図１〜図３に示すように、本実施の形態にかかるマスク１は、マスク本体部１０と耳掛け部１１ａ、１１ｂとを備える。耳掛け部１１ａ、１１ｂは、マスク本体部１０の左右両側にそれぞれ設けられている。耳掛け部１１ａ、１１ｂには各々、孔部１２ａ、１２ｂが設けられており、耳掛け部１１ａ、１１ｂの孔部１２ａ、１２ｂに人の左耳および右耳をそれぞれ通すことで、人がマスク１を着用することができる。
【００１８】
マスク本体部１０は、人がマスク１を着用した際に鼻部２１、口部２３、及び下顎部２２（図２参照）を覆うように構成されている。本実施の形態にかかるマスク１は、マスク本体部１０および耳掛け部１１ａ、１１ｂがニット生地で構成されている。ここでニット生地とは、糸を編むことで作製された生地の総称である。ニット生地の編み方は特に限定されることはないが、本実施の形態にかかるマスク１で用いられるニット生地は、例えばメッシュ編み、天竺編み等が好ましい。なお、図１〜図３ではマスク本体部１０をハッチング（ドット）で示している。
【００１９】
本実施の形態にかかるマスク１において、耳掛け部１１ａ、１１ｂは、伸縮性のある糸を用いて編まれている。伸縮性のある糸は、例えば、伸縮性のあるポリウレタン芯にナイロンおよびポリエステルの少なくとも一方を含む糸が被覆されたＦＴＹ（Filament Twisted Yarn）である。また、マスク本体部１０は、耳掛け部１１ａ、１１ｂに用いた糸よりも伸縮性の小さい糸を用いて編まれている。具体的には、マスク本体部１０は、ナイロンおよびポリエステルの少なくとも一方を含む糸を用いて編まれている。例えば、マスク本体部１０は、伸縮性のないナイロンの糸を用いて編まれている。
【００２０】
本実施の形態においてマスク本体部１０は、外側に位置するニット生地と内側に位置するニット生地とを備える２層構造を有する。このとき、内側のニット生地の孔部の密度が外側のニット生地の孔部の密度よりも高くなるように構成している。換言すると、内側のニット生地の密度が外側のニット生地の密度よりも低くなるように構成している。
【００２１】
例えば、内側のニット生地の孔部の数が外側のニット生地の孔部の数よりも多くなるようにしてもよい。また、内側のニット生地の各々の孔部の大きさが外側のニット生地の各々の孔部の大きさよりも大きくなるようにしてもよい。また、内側のニット生地の孔部の数が外側のニット生地の孔部の数よりも多くなるように、かつ、内側のニット生地の各々の孔部の大きさが外側のニット生地の各々の孔部の大きさよりも大きくなるようにしてもよい。
【００２２】
図４は、マスク本体部１０を構成するニット生地（内側）の一例を示す平面図である。図５は、マスク本体部１０を構成するニット生地（外側）の一例を示す平面図である。図４、図５に示す例では、内側のニット生地１８ａ（図４）の孔部４１、４２の密度が、外側のニット生地１８ｂ（図５）の孔部５１、５２の密度よりも高くなるように構成している。具体的には、内側のニット生地１８ａ（図４）の孔部４１、４２の数が、外側のニット生地１８ｂ（図５）の孔部５１、５２の数よりも多くなるようにしている。
【００２３】
図４に示す例では、内側のニット生地１８ａの孔部４１、４２を１コースおきに形成している。また、図４に示す例では、内側のニット生地１８ａの孔部４１と孔部４２とが縦方向において互い違いになるように形成している。
【００２４】
また、図５に示す例では、外側のニット生地１８ｂの孔部５１、５２を３コースおきに形成している。また、図５に示す例では、外側のニット生地１８ｂの孔部５１と孔部５２とが縦方向において互い違いになるように形成している。
【００２５】
このように本実施の形態では、内側のニット生地１８ａの孔部４１、４２の密度が外側のニット生地１８ｂの孔部５１、５２の密度よりも高くなるように構成している。このような構成とすることで、マスク本体部１０の内側のニット生地１８ａと人の肌とが接触する面積を少なくすることができるので、人がマスク１を装着した際の装着感を向上させることができる。つまり、ニット生地１８ａと人の肌とが接触する面積を少なくすることができるので、ニット生地１８ａが人の肌に吸着することを抑制することができ、装着した際に清涼感を与えることができる。
【００２６】
このとき、本実施の形態では、マスク本体部１０を平面視した際、外側のニット生地１８ｂの孔部５１、５２の位置と、内側のニット生地１８ａの孔部４１、４２の位置とが互いにずれるように配置してもよい。なお、この場合は、外側のニット生地１８ｂの孔部５１、５２の位置と内側のニット生地１８ａの孔部４１、４２の位置の全てが互いにずれる必要はなく、本実施の形態では、少なくとも一部において、外側のニット生地１８ｂの孔部５１、５２の位置と内側のニット生地１８ａの孔部４１、４２の位置とが互いにずれていればよい。
【００２７】
例えば、図４、図５に示す例では、内側のニット生地１８ａ（図４）と外側のニット生地１８ｂ（図５）とを上下方向及び左右方向の少なくとも一方においてずらすことで、内側のニット生地１８ａの孔部４１、４２の位置と外側のニット生地１８ｂの孔部５１、５２の位置とをずらすことができる。
【００２８】
このような構成とした場合は、外側から内側に孔部が貫通する箇所を少なくすることができるので、マスク１を装着した人の飛沫が外部に飛散することを抑制することができる。また、マスク１を装着した人が外部から飛沫を吸い込むことを抑制することができる。
【００２９】
また本実施の形態にかかるマスク１では、図３に示すように、マスク本体部１０の鼻部２１に対応する位置の第１縁部３１、及びマスク本体部１０の下顎部２２に対応する位置の第２縁部３２の各々は、第１縁部３１および第２縁部３２におけるコース数を部分的に減らして編まれている（コース数を部分的に減らしている箇所を図３において太線で示している）。例えば、第１縁部３１および第２縁部３２においてコース数を減らしている部分が３０％以上７０％以下、好ましくは４５％以上５５％以下となるようにしてもよい。
【００３０】
具体的には、図３に示すように本実施の形態にかかるマスク１を編む際は、マスク１のコース方向（上下方向）に沿って編み機を往復運動させる。これによりマスク１の横方向の一端から他端に向かってマスク１を編むことができる。具体的には、伸縮性のある糸を用いて耳掛け部１１ａを編んだ後、伸縮性の小さい糸を用いてマスク本体部１０を編み、その後、再び伸縮性のある糸を用いて耳掛け部１１ｂを編むことで、マスク１を形成する。
【００３１】
このとき本実施の形態では、マスク本体部１０を編む際に、第１縁部３１および第２縁部３２におけるコース数を部分的に減らしている。
【００３２】
具体的には、図６の模式図に示すように、マスク１のコース方向６０に沿って編み機を往復運動させてマスク本体部１０を編む際に、第１縁部３１においてコース数を部分的に減らしている。すなわち、第１縁部３１において符号６２、６４、６６で示す箇所のコース数を減らしており、図６に示す例では１ターンおきにコース数を減らしている。
【００３３】
同様に、図６の模式図に示すように、マスク１のコース方向６０に沿って編み機を往復運動させてマスク本体部１０を編む際に、第２縁部３２においてコース数を部分的に減らしている。すなわち、第２縁部３２において符号６１、６３、６５で示す箇所のコース数を減らしており、図６に示す例では１ターンおきにコース数を減らしている。
【００３４】
なお、図６に示す例では、第１縁部３１および第２縁部３２においてコース数を減らしている部分が５０％（つまり、１ターンおきにコース数を減らしている）の場合を示したが、本実施の形態では、第１縁部３１および第２縁部３２においてコース数を減らしている部分は、３０％以上７０％以下、好ましくは４５％以上５５％以下となるようにしてもよい。更に、第１縁部３１においてコース数を減らしている部分の割合と、第２縁部３２においてコース数を減らしている部分の割合を異なるようにしてもよい。
【００３５】
図７に示すように、ニット生地７０の端部７１のコース数を減らした場合は、ニット生地７０の端部７１を縮ませることができる。図７に示す例では、通常のコース数の箇所７０ａとコース数を減らした箇所７０ｂとを１ターンおきに形成しており、これによりニット生地７０の端部７１の半分においてコース数を減らしている。よって、ニット生地７０の端部７１を縮ませることができる。本実施の形態にかかるマスク１は、このような手法を用いることで、鼻部２１（図２参照）に対応する位置の第１縁部３１、及びマスク本体部１０の下顎部２２に対応する位置の第２縁部３２を縮むように編むことができる。
【００３６】
なお、第１縁部３１および第２縁部３２における収縮の度合いは、第１縁部３１および第２縁部３２においてコース数を減らしている部分の割合を変えることで調整することができる。例えば、第１縁部３１および第２縁部３２においてコース数を減らしている部分の割合が高いほど、第１縁部３１および第２縁部３２における収縮の度合いを高めることができる。逆に、第１縁部３１および第２縁部３２においてコース数を減らしている部分の割合が低いほど、第１縁部３１および第２縁部３２における収縮の度合いを低くすることができる。本実施の形態にかかるマスク１では、第１縁部３１および第２縁部３２においてコース数を減らしている部分の割合を変えることで、マスク本体部１０のフィット感を調整することができる。
【００３７】
以上で説明したように、本実施の形態ではマスク本体部１０の鼻部２１に対応する位置の第１縁部３１、及びマスク本体部１０の下顎部２２に対応する位置の第２縁部３２におけるコース数を部分的に減らしている。よって、伸縮性の小さい糸を用いてマスク本体部を形成した場合であっても、鼻部２１に対応する位置の第１縁部３１、及びマスク本体部１０の下顎部２２に対応する位置の第２縁部３２を縮むように編むことができるので、鼻部２１や下顎部２２においてマスク本体部１０が顔にフィットするようにすることができる。
【００３８】
以上、本発明を上記実施形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００３９】
１  マスク
１０  マスク本体部
１１ａ、１１ｂ  耳掛け部
１２ａ、１２ｂ  孔部
１８ａ  内側のニット生地
１８ｂ  外側のニット生地
２１  鼻部
２２  下顎部
２３  口部
３１  第１縁部
３２  第２縁部
４１、４２  孔部
５１、５２  孔部
【要約】
【課題】通気性とフィット感が良好なニット生地のマスクを提供することである。
【解決手段】本発明の一態様にかかるマスク１は、ニット生地を用いたマスクであって、鼻部、口部、及び下顎部を覆うマスク本体部１０と、マスク本体部１０の左右両側に配置され、各々の耳部に掛けられる耳掛け部１１ａ、１１ｂと、を備える。耳掛け部１１ａ、１１ｂは、伸縮性のある糸を用いて編まれており、マスク本体部１０は、耳掛け部１１ａ、１１ｂに用いた糸よりも伸縮性の小さい糸を用いて編まれている。マスク本体部１０の鼻部に対応する位置の第１縁部３１、及びマスク本体部１０の下顎部に対応する位置の第２縁部３２の各々は、第１縁部３１および第２縁部３２におけるコース数を部分的に減らして縮むように編まれている。
【選択図】図３【図１】
0006900083.tif 000002
【図２】
0006900083.tif 000003
【図３】
0006900083.tif 000004
【図４】
0006900083.tif 000005
【図５】
0006900083.tif 000006
【図６】
0006900083.tif 000007
【図７】
0006900083.tif 000008